(57)【要約】【課題】  本考案は、外形を崩すことなく自立でき、容易に物品の出し入れができるソフトバックを提供することを目的とする。【解決手段】  本考案に係るソフトバックの代表的な構成は、内部に物品を収納する、左右側面、前面、背面、上端面、下端面から構成される可撓性のあるソフトバックであって、前記前面に第１の蓋体を形成するとともに、前記左側面と前記右側面に形状保持する形状保持材を内在させ、且つ前記蓋体を避け、前記左側面と右側面を跨ぐように、前記前面に形状保持する形状保持材を内在させたことを特徴とする。【選択図】      図１
0003120838.tif 000002
【実用新案登録請求の範囲】
【請求項１】
内部に物品を収納する、左右側面、前面、背面、上端面、下端面から構成される可撓性のあるソフトバックであって、
前記前面に第１の蓋体を形成するとともに、前記左側面と前記右側面に形状保持する形状保持材を内在させ、且つ前記蓋体を避け、前記左側面と右側面を跨ぐように、前記前面に形状保持する形状保持材を内在させたことを特徴とするソフトバック。
【請求項２】
請求項１記載のソフトバックであって、
前記バックの背面と下端面を剛体とし、該下端面にキャスターを取り付け、前記上端面側にキャリーハンドルを設けたことを特徴とするソフトバック。
【請求項３】
請求項２記載のソフトバックであって、
前記上端面に第２の蓋体を形成するとともに、前記第１の蓋体からアクセスする空間と第２の蓋体からアクセスする空間とを仕切る仕切りを設けたことを特徴とするソフトバック。
【請求項４】
請求項１記載のソフトバックであって、
前記前面を上にして使用し、前記上端面及び前記下端面に第２の蓋体及び第３の蓋体を形成するとともに、前記第１の蓋体からアクセスする空間と第２の蓋体からアクセスする空間と第３の蓋体からアクセスする空間をそれぞれ仕切る仕切りを設けたことを特徴とするソフトバック。 
【考案の詳細な説明】
【技術分野】
【０００１】
本考案は、主として、旅行等に一緒に持ち歩くソフトバックに関するものである。
【背景技術】
【０００２】
従来のソフトバックとして、全体を可撓性のある材質で形成したものがある。このようなソフトバックは、軽量で持ち運び易く、外側が柔軟な素材なので荷物を詰め込み易く、多少の荷物の増加にも対応できる。
【考案の開示】
【考案が解決しようとする課題】
【０００３】
しかしながら、上記従来のソフトバックでは、柔らか過ぎて外形を留めた状態で自立することが困難であり、蓋体を開けにくい、物品の出し入れが煩雑等の問題があった。また、使用しないときに折り畳んで収納すると、折り畳み癖が付いてしまうという問題もあった。また、外からの衝撃などで内容物が変形する可能性もあった。
【０００４】
そこで本考案は、軽量で、外形を留めた状態で自立可能で蓋体を開け易いソフトバックを提供することを目的とする。また、外形を崩すことなく自立でき、容易に物品の出し入れができるソフトバックを提供することを目的とする。また、折り畳み癖の付きにくいソフトバックを提供することを目的とする。さらに、外からの衝撃などで内容物が変形しにくいソフトバックを提供することを目的とする。
【課題を解決するための手段】
【０００５】
上記課題を解決するために本考案に係るソフトバックの第１の構成は、内部に物品を収納する、左右側面、前面、背面、上端面、下端面から構成される可撓性のあるソフトバックであって、前記前面に第１の蓋体を形成するとともに、前記左側面と前記右側面に形状保持する形状保持材を内在させ、且つ前記蓋体を避け、前記左側面と右側面を跨ぐように、前記前面に形状保持する形状保持材を内在させたことを特徴とする。
【０００６】
また、本考案に係るソフトバックの第２の構成は、第１の構成のソフトバックにおいて、前記バックの背面と下端面を剛体とし、該下端面にキャスターを取り付け、前記上端面側にキャリーハンドルを設けたことを特徴とする。これにより、さらに安定して外形を留めた状態で自立可能とることができ、よりいっそう蓋体を開け易くすることができる。また、よりいっそう折り畳み癖を付きにくくすることができる。また、よりいっそう折り畳み癖を付きにくくすることができる。また、キャスターを用いることで重い荷物を収納しても簡単に持ち運ぶことができる。
【０００７】
また、本考案に係るソフトバックの第３の構成は、第２の構成のソフトバックにおいて、前記上端面に第２の蓋体を形成するとともに、前記第１の蓋体からアクセスする空間と第２の蓋体からアクセスする空間とを仕切る仕切りを設けたことを特徴とする。これにより、物品を仕分けして収納することができる。
【０００８】
また、本考案に係るソフトバックの第４の構成は、第１の構成のソフトバックにおいて、前記前面を上にして使用し、前記上端面及び前記下端面に第２の蓋体及び第３の蓋体を形成するとともに、前記第１の蓋体からアクセスする空間と第２の蓋体からアクセスする空間と第３の蓋体からアクセスする空間をそれぞれ仕切る仕切りを設けたことを特徴とする。これにより、取り出し口が増え、収納した物品が奥に入って取り出し難くなることを抑制できる。
【考案の効果】
【０００９】
本考案によれば、軽量かつ、外形を留めた状態で自立可能で蓋体を開け易くすることができる。また、外形を崩すことなく自立でき、容易に物品の出し入れができる。また、折り畳み癖を付きにくくすることができる。さらに、外からの衝撃などで内容物が変形しにくくすることができる。
【考案を実施するための最良の形態】
【００１０】
[第一実施形態]
本考案に係るソフトバックの第一実施形態について、図を用いて説明する。図１は本実施形態に係るソフトバックの斜視図である。図２は蓋体を開けた状態のソフトバックの斜視図である。図３はソフトバックの構成図である。
【００１１】
図１、図２に示すように、ソフトバックＡは、バック本体１、第１の蓋体２、第２の蓋体３、キャスター（不図示）、キャリーハンドル５、肩紐６、把手７、仕切り８を有している。
【００１２】
バック本体１は、可撓性がある素材で形成され、内部に物品を収容する。バック本体１は、上端面１１、下端面１２、前面１３、背面１４、左側面１５、右側面１６にて断面略四角形の筒状に形成されている。
【００１３】
蓋体２は、可撓性のある素材で形成されており、バック本体１の前面１３に縦長に開口した第２の開口部１３ａを開閉可能とする。蓋体２は、ファスナー２ａで開口部１３ａを開閉するようになっている。
【００１４】
蓋体３は、可撓性のある素材で形成されており、バック本体１の上端面１１を開口してなる第１の開口部１１ａを開閉可能とする。蓋体３は、ファスナー３ａで開口部１１ａを開閉するようになっている。
【００１５】
キャスターは、下端面１２に設けられており、キャリーハンドル５は、上端面１１に設けられている。キャリーハンドル５は、背面１４の内側に収納されており、バック本体１の長手方向に引き出して使用する。
【００１６】
肩紐６は、左側面１５、右側面１６に設けられており、背面１４を下にした状態でソフトバックＡを肩に掛けられるようになっている。把手７は、上端面１１に設けられており、下端面１２を下にした状態で把手７を持ってソフトバックＡを持ち運べるようになっている。
【００１７】
仕切り８は、開口部１１ａ、１３ａを完全に遮断するように開口部１１ａの近傍に設けられている。すなわち、仕切り８は、それぞれの開口部１１ａ、１３ａからしか物品を収納できないようにバック本体１の内部を仕切っている。
【００１８】
図３に示すように、バック本体１の左右側面１５、１６と前面１３は、可撓性があり、バック本体１を筒状に形状保持する形状保持材であるウレタンフォーム１５ａ、１６ａ、１３ｂを内在させた。ウレタンフォーム１５ａ、１６ａ、１３ｂは、所定の厚さを有し、左右側面１５、１６と前面１３を形成する外側と内側の生地の間に内在する。前面１３に入れたウレタンフォーム１３ｂは、蓋体２を避け、左側面１５と右側面１６を跨ぐように内在する。
【００１９】
これにより、図２のように蓋体２、３を開けた状態においても、左右側面１５、１６と前面１３（ウレタンフォーム１５ａ、１６ａ、１３ｂ）の剛性により、バック本体１は、筒状の外形を崩すことなく自立でき、容易に物品の出し入れができる。また、軽量かつ、外形を留めた状態で自立可能で、蓋体２、３を開け易くすることができる。また、折り畳み癖を付きにくくすることができる。さらに、外からの衝撃などで内容物が変形しにくくすることができる。
【００２０】
なお、本実施形態のソフトバックＡは、下端面１２と背面１４を形成する外側と内側の生地の間に剛性の高い板材（不図示）を入れている。さらに、ソフトバックＡは、蓋体２、３を形成する外側と内側の生地の間にもウレタンフォーム２ｂ、３ｂを入れている。これにより、さらに確実にバック本体１の形状を維持できる。また、下端面１２と背面１４を剛体としたことにより、下端面１２又は背面１４を下にしても収納した物品の重さで下端面１２や背面１４が変形することを抑制できる。
【００２１】
また、フレーム等を入れずに可撓性のある材質で自立可能としたことにより、ソフトバックＡは、ソフトバック本来の特徴を損なうことがない。すなわち、ソフトバックＡは、軽量で持ち運び易く、外側が柔軟な素材なので荷物を詰め込み易く、多少の荷物の増加にも対応できる。
【００２２】
なお、可撓性があり、バック本体１を筒状に自立可能とする形状保持部材として、ウレタンフォーム１３ｂ、１５ａ、１６ａを用いた構造について説明したが、本発明はかかる構成に限定されるものではない。例えば、ウレタンフォームに変えて、ソフトバックの本来の性質である可撓性（柔軟性）を失わない部材（スポンジ等）を用いてもよい。
【００２３】
[第二実施形態]
次に本考案に係るソフトバックの第二実施形態について図を用いて説明する。図４は本実施形態に係るソフトバックの斜視図である。上記第一実施形態と説明の重複する部分については、同一の符号を付して説明を省略する。
【００２４】
本実施形態にのソフトバックＢは、上記第１実施形態のソフトバックＡの下端面１２を開口して第３の開口部１２ａを設け、開口部１２ａを開閉可能とする第３の蓋体２２を設けたものである。蓋体２２は、可撓性のある素材で形成されており、ファスナー２２ａで開口部１２ａを開閉するようになっている。蓋体２２も他の蓋体２、３と同様に外側と内側の生地の間にもウレタンフォーム２２ｂを入れている。これにより、さらに確実にバック本体２１の形状を維持することができる。
【００２５】
ソフトバックＢは、ソフトバックＡのキャスター、キャリーハンドル５を取り除いた構成となっている。また、ソフトバックＢの前面１３の開口部１３ａは、上記第１実施形態の形状を少し変えて、前面１３の中央に設けられている。
【００２６】
ソフトバックＢは、開口部１２ａを他の開口部１１ａ、１３ａから完全に遮断するように開口部１２ａの近傍に仕切り２３を設けている。すなわち、仕切り８、２３は、それぞれの開口部１１ａ、１２ａ、１３ａからしか物品を収納できないようにバック本体１の内部を仕切っている。
【００２７】
上記構成としたソフトバックＢは、肩紐６を持って持ち運ぶボストンバックタイプの鞄であり、背面１４を下にして置く。このように、本発明は様々なタイプのソフトバックに適用することができ、その形状は上記実施形態に例示された形状に限定されるものではない。
【産業上の利用可能性】
【００２８】
本考案は、全体を可撓性のある材質で形成した様々なタイプのソフトバックに応用できる。
【図面の簡単な説明】
【００２９】
【図１】第一実施形態に係るソフトバックの斜視図である。
【図２】蓋体を開けた状態のソフトバックの斜視図である。
【図３】ソフトバックの構成図である。
【図４】第二実施形態に係るソフトバックの斜視図である。
【符号の説明】
【００３０】
Ａ、Ｂ    …ソフトバック
１、２１  …バック本体
２、３、２２  …蓋体
２ａ、３ａ、２２ａ …ファスナー
２ｂ、３ｂ、１３ｂ、１５ａ、１６ａ、２２ｂ …ウレタンフォーム
５    …キャリーハンドル
６    …肩紐
７    …把手
８、２３  …仕切り
１１  …上端面
１２  …下端面
１１ａ、１２ａ、１３ａ …開口部
１３  …前面
１４  …背面
１５  …左側面
１６  …右側面
【図１】
0003120838.tif 000003
【図２】
0003120838.tif 000004
【図３】
0003120838.tif 000005
【図４】
0003120838.tif 000006